(57)【特許請求の範囲】
【請求項１】
操作コードを掛装するフックと、前記操作コードを挟むクリップ部とを備えたコードクリップにおいて、
前記フックの開口方向と、前記クリップ部の開口方向とを互いに逆方向とし、
前記クリップ部を、主片と可動片とで構成し、該可動片を弾性変形させて、前記主片と可動片の先端部を開口可能とし、前記主片と可動片とには、主片と可動片とを連結する連結部の基端側に操作片がそれぞれ延設されており、
前記フックを、前記主片を前記クリップ部の開口側である先端側に延長して一体に設けたことを特徴とする日射遮蔽装置のコードクリップ。
【請求項２】
前記主片及び可動片の先端部には互いに対向して前記操作コードを主片と可動片との間に保持する係止突部を設け、前記主片と可動片の対向面には、前記操作コードに係合する断面山形の突条を設けたことを特徴とする請求項１に記載の日射遮蔽装置のコードクリップ。
【請求項３】
前記フックは、可動片に対し主片の背面側に屈曲して又は側面側に屈曲して設けたことを特徴とする請求項１又は２に記載の日射遮蔽装置のコードクリップ。
【発明の詳細な説明】
【技術分野】
【０００１】
この発明は、横型ブラインドやプリーツカーテンあるいはたくし上げカーテン等の操作コードを、その不使用時に適宜な長さに保持するコードクリップに関するものである。
【背景技術】
【０００２】
横型ブラインドやプリーツカーテンあるいはたくし上げカーテンでは、ヘッドボックスの一側から操作コードが吊下支持され、その操作コードを操作することにより、スラットあるいはカーテン生地を昇降可能となっている。
【０００３】
このような操作コードは、その不使用時にヘッドボックスから長く垂れ下がり、特に下端が無端状となる操作コードでは、その無端縁が引っかかり易い。そこで、操作コードを適宜な長さに束ねて保持するコードクリップが種々提案されている。
【特許文献１】実開昭５８−１２３１９３号公報
【特許文献２】実開昭５６−６７２９５号公報
【特許文献３】実公平７−３７０３２号公報
【特許文献４】実開昭５９−４４９８９号公報
【発明の開示】
【発明が解決しようとする課題】
【０００４】
上記のようなコードクリップは、操作コードを束ねるとき以外にも操作コードに仮止めして、その紛失を防止することが望ましい。また、操作コードを束ねたときに、その状態を安定して保持可能とすることが必要である。
【０００５】
特許文献１に記載された掛止装置は、操作ひもの無端縁をヘッドボックスに掛止めするものであり、操作ひもを束ねて保持する構成は開示されていない。
特許文献２に記載されたからみ防止具は、操作紐を角度操作紐の下端部に保持するものであり、操作紐を束ねて保持する構成は開示されていない。
【０００６】
特許文献３に記載された挟持具は、操作コードの下端をボトムレールに保持するものであり、操作コードを束ねて保持する構成は開示されていない。
特許文献４に記載されたクリップは、引掛用鉤部とクリップ部とを備えた干し物用クリップである。このクリップを実施の上記のようなコードクリップとして使用するには、引掛用鉤部に操作コードの無端縁を掛装し、クリップ部で操作コードの中間部を挟持すれば、操作コードを束ねて保持可能である。
【０００７】
しかし、操作コードを束ねて保持する状態では、引掛用鉤部に掛装される無端縁の重量によりクリップ部の開口端が上方に開口する状態となる。すると、操作コードが細い場合には、クリップ部で操作コードを確実に挟持することができず、クリップが下方へずり落ちたり、あるいはクリップ部から操作コードが外れてしまうという問題点がある。
【０００８】
この発明の目的は、操作コードを束ねた状態で確実に挟持可能とした日射遮蔽装置のコードクリップを提供することにある。
【課題を解決するための手段】
【０００９】
請求項１では、操作コードを掛装するフックと、前記操作コードを挟むクリップ部とを備えたコードクリップにおいて、前記フックの開口方向と、前記クリップ部の開口方向とを互いに逆方向とし、前記クリップ部を、主片と可動片とで構成し、該可動片を弾性変形させて、前記主片と可動片の先端部を開口可能とし、前記主片と可動片とには、主片と可動片とを連結する連結部の基端側に操作片がそれぞれ延設されており、前記フックを、前記主片を前記クリップ部の開口側である先端側に延長して一体に設けた。
【００１０】
請求項２では、前記主片及び可動片の先端部には互いに対向して前記操作コードを主片と可動片との間に保持する係止突部を設け、前記主片と可動片の対向面には、前記操作コードに係合する断面山形の突条を設けた。
【００１１】
請求項３では、前記フックは、可動片に対し主片の背面側に屈曲して又は側面側に屈曲して設けた。
【発明の効果】
【００１２】
本発明によれば、操作コードを束ねた状態で確実に挟持可能とした日射遮蔽装置のコードクリップを提供することができる。
【発明を実施するための最良の形態】
【００１３】
以下、この発明を具体化した日射遮蔽装置の一実施の形態を図面に従って説明する。図１に示す横型ブラインドは、ヘッドボックス１から吊下支持されるラダーコード２に多数段のスラット３が支持され、そのラダーコード２の下端にボトムレール４が吊下支持されている。
【００１４】
前記ラダーコード２の上端は、ヘッドボックス１内で角度調節装置に接続される。そして、ヘッドボックス１の一端側から垂下される操作コード５を操作することにより、角度調節装置及びラダーコード２を介して各スラット３を同位相で角度調節可能である。
【００１５】
前記スラット３には前記ラダーコード２による支持位置近傍において昇降コード６が挿通され、その昇降コード６の下端は前記ボトムレール４に接続される。また、昇降コード６の上端は、ヘッドボックス１内の昇降装置に巻着される。
【００１６】
そして、前記操作コード５の操作により、昇降装置に昇降コード６が巻き取られ、あるいは巻き戻され、その昇降コード６を介してボトムレール４が昇降されてスラット３が昇降される。
【００１７】
前記操作コード５は無端状に形成され、その無端縁にコードクリップ７が取着されている。図２に示すように、前記コードクリップ７は合成樹脂で成形され、主片８と可動片９とからなる二股状に形成されている。また、常には平行に保持される主片８と可動片９の基端部が連結部１０で連結され、その連結部１０からさらに基端側に向かって操作片１１ａ，１１ｂが延設されている。
【００１８】
そして、図５に示すように、操作片１１ａ，１１ｂを互いに近づく方向に押圧すると、可動片９の先端部が主片８から遠ざかる方向に弾性変形されて、主片８と可動片９の先端が開口されるようになっている。
【００１９】
前記可動片９の先端と前記主片８には、互いに対向する係止突部１２ａ，１２ｂが形成されている。図４に示すように、前記係止突部１２ａ，１２ｂは、断面四角形状であり、その係止突部１２ａ，１２ｂ間に僅かな隙間が介在されている。
【００２０】
前記係止突部１２ａ，１２ｂと前記連結部１０との間において、前記主片８と可動片９の対向面には、図３に示すように、断面山形の突条１３ａ，１３ｂが形成されている。突条１３ａ，１３ｂ間の隙間は、前記係止突部１２ａ，１２ｂ間の隙間より大きく、かつ前記操作コード５の径より僅かに小さくなるように設定されている。
【００２１】
前記主片８の先端部は、可動片９の先端部よりさらに延長されて、フック１４が形成されている。そのフック１４は、主片８の先端部を可動片９に対向する側とは反対側に屈曲して形成され、その開口方向は主片８及び可動片９の基端側に向かって開口されている。従って、主片８及び可動片９とからなるクリップ部の開口方向とフック１４の開口方向とは互いに逆方向となっている。
【００２２】
次に、上記のように構成されたコードクリップ７の使用方法を説明する。まず、操作コード５をコードクリップ７のフック１４に挿通する。すると、図１に示すように、コードクリップ７はその不使用時に操作コード５の無端縁に吊下支持される。
【００２３】
この状態から、操作コード５を束ねる場合には、コードクリップ７を持ち上げ、図６に示すように、操作コード５の中間部を主片８と可動片９との間に挟む。すると、図７に示すように、操作コード５は突条１３ａ，１３ｂ間に係止され、コードクリップ７の操作コード５長手方向への移動が阻止される。また、コードクリップ７はフック１４に掛装される操作コード５の重量によりフック１４側すなわち主片８及び可動片９の開口側を下方として保持される。
【００２４】
さらに、図８に示すように、操作コード５の無端縁を持ち上げて、主片８と可動片９との間に挟む。すると、図９に示すように、操作コード５がコードクリップ７で束ねられる。
【００２５】
また、図１０に示すように、操作コード５の無端縁を持ち上げる代わりに、コードクリップ７を持ち上げ、図６に示す挟み位置よりさらに上方で操作コード５をコードクリップ７により挟むと、図１１に示すように、操作コード５が束ねられる。
【００２６】
上記のようなコードクリップ７では、次に示す作用効果を得ることができる。
（１）操作コード５を束ねるとき、フック１４に掛装される操作コード５の重量によりフック１４側すなわち主片８及び可動片９の開口側を下方として保持することができる。従って、主片８及び可動片９の間に挟まれた操作コード５に対しコードクリップ７が下方へスライドしても、操作コード５は連結部１０に当接するので、束ねられた操作コード５がコードクリップ７から外れることはない。
（２）操作コード５の径が小さく、突条１３ａ，１３ｂで操作コード５を十分に係止できない場合でも、コードクリップ７からの操作コード５の外れを防止することができる。
（３）コードクリップ７の不使用時には、コードクリップ７を操作コード５の無端縁に吊下支持することができるので、コードクリップ７の紛失を防止することができる。
【００２７】
上記実施の形態は、以下の態様で実施してもよい。
・上記コードクリップ７をプリーツカーテンあるいはたくし上げカーテンのコードクリップとして使用することもできる。
・上記コードクリップ７を、操作コードとして使用されるボールチェーンを束ねるコードクリップとして使用することもできる。
・フック１４は、可動片９に対し主片８の背面側に屈曲して設けたが、主片８の側面側に屈曲して設けてもよい。
【図面の簡単な説明】
【００２８】
【図１】横型ブラインドを示す正面図である。
【図２】コードクリップを示す斜視図である。
【図３】コードクリップを示す断面図である。
【図４】コードクリップを示す断面図である。
【図５】コードクリップの操作を示す正面図である。
【図６】コードクリップ使用手順を示す説明図である。
【図７】コードクリップ使用手順を示す説明図である。
【図８】コードクリップ使用手順を示す説明図である。
【図９】コードクリップ使用手順を示す説明図である。
【図１０】コードクリップ使用手順を示す説明図である。
【図１１】コードクリップ使用手順を示す説明図である。
【符号の説明】
【００２９】
５…操作コード、７…コードクリップ、８…クリップ部（主片）、９…クリップ部（可動片）、１２ａ，１２ｂ…係止突部、１３ａ，１３ｂ…突条、１４…フック。
【図１】
0005214101.tif 000002
【図２】
0005214101.tif 000003
【図３】
0005214101.tif 000004
【図４】
0005214101.tif 000005
【図５】
0005214101.tif 000006
【図６】
0005214101.tif 000007
【図７】
0005214101.tif 000008
【図８】
0005214101.tif 000009
【図９】
0005214101.tif 000010
【図１０】
0005214101.tif 000011
【図１１】
0005214101.tif 000012